(57)【要約】【課題】本発明は、スロットマシンの弱点を狙って至近距離から発せられる違法電波が検知でき、しかも携帯電話や車両無線等の電波では作動しないようなスロットマシンの不正防止装置および不正防止方法を提供することを目的とする。【解決手段】本発明のスロットマシンの不正防止装置１は、磁石３ａを有する取り付け部３と角度調整手段４によって、指向性のよい反射板付き受信アンテナ２を不正目的の違法電波の受信に有利な位置・向きに合わせて設置できるので、違法電波を高感度で捉えると共に、携帯電話の電話等違法電波以外の電波の影響を受けない。【選択図】図１
2004121758.tif 000002
【特許請求の範囲】
【請求項１】
磁石を有する取り付け部と、反射板を有する受信アンテナと、取り付け部に対して受信アンテナの角度を変更できる角度調整手段を有する、スロットマシンの不正防止装置。
【請求項２】
前記受信アンテナがループアンテナであり、前記角度調整手段が、取り付け部と受信アンテナをつなぐフレキシブルコードである請求項１に記載のスロットマシンの不正防止装置。
【請求項３】
前記受信アンテナで受信した信号を検波する手段と、５ｍ秒以内の反応速度を有する高速オペアンプを有する増幅回路を有する請求項１又は請求項２に記載のスロットマシンの不正防止装置。
【請求項４】
スロットマシンの内部に、当該スロットマシンが誤動作を起こしやすい電波の入射方向に反射板を向けて、反射板を有する受信アンテナと、取り付け部と受信アンテナをつなぐフレキシブルコードを有するスロットマシンの不正防止装置を、スロットマシンの金具に磁石により取り付け、受信信号を高速オペアンプを有する増幅回路で増幅し、出力信号の大きさが携帯電話の電波を受信した場合の２倍以上になったときに不正があったことを知らせる警告手段を作動させるスロットマシンの不正防止方法。
【発明の詳細な説明】
【０００１】
【発明の属する技術分野】本発明は、遊技機であるスロットマシンに対して不正電波を放射して誤動作を発生させる不正を防止するための技術に関する。
【０００２】
【従来の技術】パチンコホールに設置されているパチンコやスロットマシン等の遊技機に向けて不正電波を放射して、遊技機の誤動作を人為的に引き起こして賞品を得ようとする不正行為が発生しており、その被害額は年間に数百億円ともいわれている。これに対して、遊技機をシールドして不正電波が内部に入ることを防止することが行われている。また、パチンコホール内や遊技機の内外にアンテナを設け、不正電波を検出することにより不正行為を発見する技術が、特開２００１−６２１２５号公報、特開２００１−４６７０９号公報等に記載してある。また、特開２０００−２９６２００号公報には、スロットマシンの不正防止手段が記載さていている。
【０００３】
【特許文献１】特開２００１−６２１２５号公報
【特許文献２】特開２００１−４６７０９号公報
【特許文献３】特開２０００−２９６２００号公報
【０００４】
【発明が解決しようとする課題】従来の不正防止技術のうち、遊技機を電磁的にシールドすることは有効なものであった。しかしながら、いかにシールドを強化しても完全を期すことは望めず、どの機種においても弱点となる部位が発生する。特に、スロットマシンではその構造上、内部で回転するドラムを収容する箱部と、その前面で開閉可能な扉上のパネル部とから構成されるが、このパネル部と箱部の合わせ目から電波が入りやすく、内部の回路に誤動作が生じ、入賞率が最も高い設定に変えられたりする場合がある。また、コインの賭け数を決めたり、ドラムを停止させたりするために各種の操作ボタンが設けられているが、スイッチ部分近くの配線が電波を拾いやすく、誤作動を引き起こす電波の影響を受ける場合がある。また、特開２００１−６２１２５号公報、特開２００１−４６７０９号公報等に示すような不正電波を検知する技術においては、本当の不正目的の電波と携帯電話等の電波を判別して不正目的の電波のみに反応するような工夫がなされているが、現実にはその完全な識別は容易ではない。不正電波を検知する装置は多くのパチンコホールに設置されているが、アンテナ付近で携帯電話が使用された場合にも反応する場合があるのが現実である。不正を行おうとする者はわざと携帯電話をアンテナ付近で使用して検知装置を作動させたりするが、これが繰り返されると従業員の警戒心が次第に薄れ、この時点で特別な発信機を使用して違法電波を放射して不正行為をされても検知装置の作動を携帯電話のためと思い込むようになり、結局不正行為を見破れないケースが発生している。本発明は、スロットマシンの弱点を狙って至近距離から発せられる違法電波が検知でき、しかも携帯電話や車両無線等の電波では作動しないようなスロットマシンの不正防止装置および不正防止方法を提供することを目的とする。
【０００５】
【課題を解決するための手段】上述の課題を解決するために、本発明に係るスロットマシンの不正防止装置は、磁石を有する取り付け部と、反射板を有する受信アンテナと、取り付け部に対して受信アンテナの角度を変更できる角度調整手段を有するものである。受信アンテナとしてループアンテナを、角度調整手段として取り付け部と受信アンテナをつなぐフレキシブルコードを用いることができる。また、受信アンテナで受信した信号を検波する手段と、５ｍ秒以内の反応速度を有する高速オペアンプを有する増幅回路を設けてもよい。また、本発明に係るスロットマシンの不正防止は、スロットマシンの内部に、当該スロットマシンが誤動作を起こしやすい電波の入射方向に反射板を向けて、反射板を有する受信アンテナと、取り付け部と受信アンテナをつなぐフレキシブルコードを有するスロットマシンの不正防止装置を、スロットマシンの金具に磁石により取り付け、受信信号を高速オペアンプを有する増幅手段で増幅し、出力信号の大きさが携帯電話の電波を受信した場合の２倍以上になったときに不正があったことを知らせる警告手段を作動させるものである。
【０００６】
【発明の実施の形態】本発明に係るスロットマシンの不正防止装置および不正防止方法の実施の形態について図面に基づいて説明する。図１は本発明に係る不正防止装置の一例を示す正面図、図２は同側面断面図である。不正防止装置１は反射板２ａを有する受信アンテナ２と取り付け部３と角度調節手段であるフレキシブルコード４を備えている。反射板２ａは受信アンテナに指向性を持たせ、特定方向への感度を高くすると共にそれ以外から入る電波を拾わないようするためであり、本例においては放物線を回転させた形状のいわゆるパラボラアンテナを用いている。また、反射板２ａの内部にはどの偏波方向の電波でも感度よく受信できるようにループアンテナ２ａを設けてある。取り付け部３には磁石３ａが設けてある。そして、角度調節手段であるフレキシブルコード４により受信アンテナ２は取り付け部３に接続されている。また、反射板３の中心部には受信した信号を受信回路に出力するために同軸コネクター５が設けられている。
【０００７】図８はスロットマシンの一例を示す正面図、図９は同スロットマシンの内部を示す正面図である。別々に回転するドラムが通常は３個設けられており、そのドラム２１の表面には数字や図形等が描かれている。遊技をする者はコイン投入口２２にコインを入れたり、賭け数を選択するボタン２３を操作して内部に貯められたコインから次のゲームで賭ける枚数を指定する。ドラム２１は図示しないモータによって回転させられるが、スタートボタン２４を押すと回転が開始する。そして、ストップボタン２５を押すと、おしたタイミングに対応した位置でドラムは停止する。全てのドラムが停止したところで、３つの数字や図形の組合わせにより、当たり外れが決まり、当たりの場合には組合わせに応じて定められたコインを獲得することができる。ここで、ドラムの回転はコンピューターによって制御されている。１周期を特定数のパルス時間に区切り、ストップボタン２３が押されたときのパルスに対応した位置でドラムは停止する。
【０００８】このように、スロットマシンには遊技者が操作するためのボタンがいくつか設けられているが、このボタン付近の配線は外部からの電波を拾いやすい。スロットマシンは全体的にシールドされ、また、ボタン付近も外部電波を拾わないよう配慮して設計されているが、それでも特定のボタンに対して特定の方向から強い電波を放射されると、ノイズが入る場合がある。不正行為を行う者は目標の機種におけるこのような弱点を調べた上で、そこを狙ってくる。通常の遊技者を装ってスロットマシンの前に座り、衣服の内側に隠し持った発信機や送信アンテナによって至近距離から高出力の電波をパルス状に放射することにより、スロットマシンに誤動作を起こさせ、そのタイミングでストップボタンが押された場合の位置でドラムを停止させる。不正行為者が使用する発信機はスロットマシンのドラムの回転周期におけるステップに対して同期させながらパルスノイズのタイミングを調整できるものであり、タイミングを変えながら試行錯誤していくうちに、多数のコインを獲得できるタイミングを見つけ出す。その後は、そのタイミングでパルスを発生させることにより、多数のコインを獲得することができる。
【０００９】このような不正が行われることについて、パチンコホールを経営する者は比較的早く情報を得る場合が多い。しかしながら、通常はパチンコホールを経営する者がこのような情報に基づいてスロットマシンに大規模な変更を加えて対応することはできない。しかしながら、被害を早期に回避するためにはパチンコホールを経営する者が最新の情報に基づいて迅速かつ簡便に不正防止策を講じれるようにする必要がある。
【００１０】図３は本発明に係る不正防止装置の使用状態を示すもので、上述のスロットマシンに適用した例である。ほとんどのスロットマシンでは、架台や各種部品をのせる部材は鋼鉄で作られているので、磁石により不正防止装置１を簡単に取り付けることができる。また、磁石の磁力によって取り付けているので、スロットマシン内でスライドさせながら位置の微調整が容易に行える。また角度調整手段として不正防止装置１にはフレキシブルコードが設けられているので、反射板の角度を調整することができ、不正電波を受信できる向きに受信アンテナ２の指向性を合わせることができる。このようにして、パチンコホールを経営する者は最新の不正に関する情報に基づいて受信アンテナ２の位置と方向を最適な状態に設置することができる。
【００１１】図５は本発明に係る不正防止装置の一例を示すブロック図である。受信アンテナ２により受信された信号は同軸ケーブルにより受信回路に接続される。まず、検波回路６で検波された後に、増幅回路７により増幅される。ここで、本例においては増幅回路７にＡＮＡＬＯＧ　ＤＥＶＩＣＥＳ社のオペアンプで型番ＬＭ３５８を使用している。これは不正行為の巧妙化に対応したものであり、反応の遅い従来の不正検知装置では検知できないような持続時間の極めて短いパルスノイズも検出できるようになった。本例に用いるオペアンプは、信号への反応が早く５ｍ秒以内で反応できるものである。増幅された信号は検出回路８によって不正信号であるか否かを判断される。図６は信号の例を示すグラフである。▲１▼が携帯電話の電波による信号であり、▲２▼はパチンコホール内で使われる店内トランシーバーによる信号、▲３▼は不正目的の違法電波による信号である。図６が示すように、本発明の不正防止装置は違法電波を鋭敏に捉えており、一方、携帯電話や店内トランシーバーの信号にはほとんど影響を受けていない。これは、本発明の不正防止装置の受信アンテナが反射板を備えていて極めて優れた指向性を有しており、しかも、磁石による取り付けと角度調整手段によりアンテナが違法電波のみを受信するような最適な位置および向きに設定されていることによる。また、スロットマシンの筐体はシールドされているとともに奥行きが深く、しかも手前側にはコインを貯めるスペースがとられていることより、受信アンテナは比較的奥の方に設置されることになるが、これにより携帯電話のアンテナからは一定の距離ができるので、受信アンテナに届くときには相当に減衰してしまう。従って、携帯電話の電波による信号の電圧の３倍から４倍程度にしきい値を設けて、これを超えた場合にのみ不正行為があったと判断すればよい。検出回路により不正が検知されたらブザーを鳴らしたりやランプを点灯させる等により警報を発して、不正が行われたことを知らせる。
【００１２】次に、本発明に係る不正防止装置の別の例を説明する。図７に示す例においては、反射板として長方形で外部が外向かって開いた形状のものを用いている。この反射板はパラボラ状の反射板に比べて指向性が緩やかで、広い角度範囲の電波を収集することができる。本例においても反射板内部の空中線はループ状であり、全ての偏波方向の電波を受信できるようにしてある。ループの形状としては楕円や双ループ、或いはＵ字型の開放部を折り曲げて綴じたような形状のもの等、それぞれ選択することができる。
【００１３】
【発明の効果】以上、本発明のスロットマシンの不正防止装置は、磁石を有する取り付け部と角度調整手段によって、指向性のよい反射板付き受信アンテナを不正目的の違法電波の受信に有利な位置・向きに合わせて設置できるので、違法電波を高感度で捉えると共に、携帯電話の電話等違法電波以外の電波の影響を受けないという効果を有する。また、スロットマシンの内部で不正目的の違法電波の受信に有利な位置・向きに反射板付き受信アンテナを設置し、受信信号より不正行為を検知するので、パチンコホールの経営者が、各機種に応じた適切な不法行為手段を講じることができる。
【図面の簡単な説明】
【図１】本発明に係る不正防止装置の一例を示す正面図である。
【図２】同側面断面図である。
【図３】本発明に係る不正防止装置の使用状態を示す正面図である
【図４】同側面断面図である。
【図５】本発明に係る不正防止装置の一例を示すブロック図である。
【図６】不正防止装置が受信した信号を示すグラフである。
【図７】本発明に係る不正防止装置の一例を示す正面図である。
【図８】スロットマシンの一例を示す正面図である。
【図９】同スロットマシンの内部を示す正面図である。
【符号の説明】
１．不正防止装置
２．受信アンテナ
３．取り付け部
４．角度調整手段
６．検波回路
７．増幅回路
【図１】
2004121758.tif 000003
【図２】
2004121758.tif 000004
【図３】
2004121758.tif 000005
【図４】
2004121758.tif 000006
【図５】
2004121758.tif 000007
【図６】
2004121758.tif 000008
【図７】
2004121758.tif 000009
【図８】
2004121758.tif 000010
【図９】
2004121758.tif 000011